(57)【要約】【課題】ハートカム機構を採用したロックスイッチにおいて、アクチュエータを、ハートカム機構を作用させるための外力の入力方向と異なる方向に動かす。【解決手段】アクチュエータ１１１は、回動軸１２１を中心に旋回自在で、第１旋回方向Ｒ１の先端側に作用部１２２を有し、プランジャ装置１１３のプランジャスプリング１３３によって第１旋回方向Ｒ１に向けて付勢される。アクチュエータ１１１には、ハートカム溝１２４が設けられる。ハートカム溝１２４のハート形状の上下方向は、第１旋回方向Ｒ１に沿って延びている。ロックピン１１２は、その第１端部１１２Ａが回動自在に保持され、第２端部１１２Ｂがハートカム溝１２４の底部１２４Ｅに圧力を持って摺接し所定方向にのみ周回できる。プランジャ１３２がアクチュエータ１１１に対し第２旋回方向Ｒ２への力を加えることにより、作用部１２２は、二位置の間で変位する。【選択図】図１
2012243530.tif 000002
【特許請求の範囲】
【請求項１】
回動軸を中心に旋回自在で、第１旋回方向の先端側に作用部を有し、弾性体によって前記第１旋回方向及びこの第１旋回方向とは反対向きの第２旋回方向のいずれか一方に向かうよう付勢されているアクチュエータと、
前記アクチュエータに設けられ、前記アクチュエータが旋回する旋回面に沿うハート形状をなし、前記第１旋回方向に沿うように前記ハート形状の上下方向が延びているハートカム溝と、
位置固定かつ回動自在に保持される第１端部と、前記ハートカム溝の底部に圧力を持って摺接し前記ハートカム溝に沿って所定の方向に周回する第２端部とを有し、前記第１端部を中心に回動自在のロックピンと、
を備え、
前記弾性体による付勢力に抗うように前記アクチュエータに対して力が加えられることで、前記作用部が、前記ハートカム溝による第１のロック状態に対応する初期位置と、前記ハートカム溝による第２のロック状態に対応する作用位置との間で変位するロックスイッチ。
【請求項２】
前記ロックピンの第１端部を保持し、且つ、前記第１旋回方向に動こうとする前記アクチュエータを阻止するストッパを備える、
請求項１記載のロックスイッチ。
【請求項３】
前記ハートカム溝の底部から立ち上がり前記ロックピンの第２端部が接する前記ハートカム溝の内側面には、前記回動軸を中心とする円弧状部が形成される、
請求項１又は２記載のロックスイッチ。
【発明の詳細な説明】
【技術分野】
【０００１】
本発明は、ハートカム機構を採用したロックスイッチに関する。
【背景技術】
【０００２】
特許文献１には、キャビネット等の扉に対して、扉を閉じた状態および扉を開いた状態を交互に切り替えるプッシュラッチ１の技術が開示されている。このプッシュラッチ１は、所定の対象物１００に取り付けられるもので、対象物１００に直接固定される第一ケース部材１０と、第一ケース部材１０に収納される第二ケース部材２０と、第二ケース部材２０に収納される摺動部材３０及びバネ９０とを有する。摺動部材３０を構成する本体４０は、頭部４１と、この頭部４１から延びる胴体部４２とを有する。本体４０の左側面後部には、ハートカム溝４６が形成される。ハートカム溝４６は、左側面視で略ハート状であり、その底部に複数の段差部が形成される。ロックピン７０は、その一端（係止端部７１）を第二ケース部材２０の突出部２６に拘束され、その他端（摺動端部７２）は、ハートカム溝４６に摺動可能に係合し、摺動部材３０の摺動範囲を規制する。バネ９０は、その後端部を第二ケース部材２０のバネ係止部２８に係止され、その前端部で本体４０を前方向に付勢する。特許文献１によれば、摺動部材３０が後方向に向かう方向に押し付けられると、ロックピン７０の摺動端部７２がハートカム溝４６の底部を摺動しつつ摺動部材３０が後方向に向かう方向に摺動し、摺動部材３０が第二収容孔２１に引き込まれる状態（特許文献１の図２）と第二収容孔２１より突出する状態（特許文献１の図６）とを交互に切り替える、とされる。
【先行技術文献】
【特許文献】
【０００３】
【特許文献１】特開２０１０−２７０４８４号公報
【発明の概要】
【発明が解決しようとする課題】
【０００４】
特許文献１の各図を見ると、摺動部材３０は、第二ケース部材２０の内周面によって移動方向を規制されつつ、バネ９０が伸縮する方向に動くことがわかる。しかしながら、特許文献１に記載のプッシュラッチ１を各種の製品に搭載する際に、取付箇所によっては、バネ９０の動きとは異なる方向に摺動部材３０の動かすことが求められる。
【０００５】
発明者は、特許文献１に記載のプッシュラッチ１に用いられるハートカムロック機構を応用したロックスイッチ９０１の仮想例を考えた。図１２は、仮想例のロックスイッチ９０１の初期状態を示す模式図である。図１３は、図１２に続いてアクチュエータ９０４が押し込まれた状態にある仮想例のロックスイッチ９０１の模式図である。図１４は、図１３に続いてロックされた状態にある仮想例のロックスイッチ９０１の模式図である。図１５は、図１４に続いてアクチュエータ９０４が押し込まれた状態にある仮想例のロックスイッチ９０１の模式図である。図１６は、図１５に続いて初期状態に戻った仮想例のロックスイッチ９０１の模式図である。
【０００６】
仮想例のロックスイッチ９０１は、基準面９０２に直交して延びるガイドレール９０３に摺動自在のアクチュエータ９０４と、ガイドレール９０３に直交する方向に延びハートカム機構９０５が設けられたプランジャ９０６と、プランジャ９０６の延びる方向にプランジャ９０６を押すスプリング９０７と、一端が固定され他端がハートカム機構９０５の底面に摺動するロックピン９０８と、を有する。アクチュエータ９０４には、ガイドレール９０３の延びる方向とプランジャ９０６の延びる方向とにより特定される面内でこれら二方向のいずれにも傾斜する方向に延びる直線状の係合溝９０９が形成される。この係合溝９０９には、プランジャ９０６から突出するピン部９１０が入り込む。また、プランジャ９０６は、ガイド筒９１１に収納され、このガイド筒９１１によって動く方向が規制されている。
【０００７】
初期状態（図１２）にあるプランジャ９０６に対してこのプランジャ９０６を押し込む力Ｆが加えられると（図１３）、アクチュエータ９０４は、ピン部９１０に引っ張られ、ガイドレール９０３に沿って左方向に動く。力Ｆが解除されると（図１４）、スプリング９０７はプランジャ９０６を押し戻し、アクチュエータ９０４はピン部９１０の動きによってガイドレール９０３に沿って右方に動き、ロックピン９０８がハートカム機構９０５のロック箇所９０５ａに引っかかり、ピン部９１０は基準面９０２よりも左方に位置付けられたアクチュエータ９０４を保持する位置で停止する。再びプランジャ９０６に対して力Ｆが加えられることにより（図１５）、ロック箇所９０５ａによるロックピン９０８の引っかかりは解除され、その後に力Ｆが解除されると（図１６）、スプリング９０７はプランジャ９０６を押し戻し、アクチュエータ９０４はピン部９１０の動きによってガイドレール９０３に沿って右方に動いて基準面９０２まで戻される。
【０００８】
ここで、上記の仮想例のロックスイッチ９０１は、スプリング９０７の動きとは異なる方向に力を作用させるために、ガイドレール９０３やアクチュエータ９０４という更なる機械要素を設けており、部品点数が増加して取付のためのスペースが増大するという問題が生じる。
【０００９】
本発明は、上記の点を鑑みてなされたものであり、ハートカム機構を採用したロックスイッチにおいて、アクチュエータを、ハートカム機構を作用させるための外力の入力方向と異なる方向に動かすことを目的とする。
【課題を解決するための手段】
【００１０】
本発明のロックスイッチは、回動軸を中心に旋回自在で、第１旋回方向の先端側に作用部を有し、弾性体によって前記第１旋回方向及びこの第１旋回方向とは反対向きの第２旋回方向のいずれか一方に向かうよう付勢されているアクチュエータと、前記アクチュエータに設けられ、前記アクチュエータが旋回する旋回面に沿うハート形状をなし、前記第１旋回方向に沿うように前記ハート形状の上下方向が延びているハートカム溝と、位置固定かつ回動自在に保持される第１端部と、前記ハートカム溝の底部に圧力を持って摺接し前記ハートカム溝に沿って所定の方向に周回する第２端部とを有し、前記第１端部を中心に回動自在のロックピンと、を備え、前記弾性体による付勢力に抗うように前記アクチュエータに対して力が加えられることで、前記作用部が、前記ハートカム溝による第１のロック状態に対応する初期位置と、前記ハートカム溝による第２のロック状態に対応する作用位置との間で変位する。
【発明の効果】
【００１１】
本発明によれば、弾性体による引っ張りに抗うようにアクチュエータに対して力を加えることで、アクチュエータが回動軸を中心に回動し、アクチュエータに設けられた作用部が変位する。したがって、ハートカム機構を採用したロックスイッチにおいて、アクチュエータを、ハートカム機構を作用させるための外力の入力方向と異なる方向に動かすことができる。
【図面の簡単な説明】
【００１２】
【図１】ロックスイッチの斜視図である。
【図２】図１とは反対側から見たロックスイッチの斜視図である。
【図３】プッシャの係合孔部に係合突起を挿入する前の状態を模式的に示す、図２のＰ矢視での断面図である。
【図４】プッシャの係合孔部に係合突起を挿入している途中の状態を模式的に示す、図２のＰ矢視での断面図である。
【図５】プッシャの係合孔部に係合突起を挿入した後の状態を模式的に示す、図２のＰ矢視での断面図である。
【図６】図３に示す状態に対応するロックスイッチの平面図である。
【図７】アクチュエータの平面図である。
【図８】図６に示す状態からプッシャが右方に動いた状態でのロックスイッチの平面図である。
【図９】図８に示す状態からプランジャがロックスイッチの正面側に動いた状態でのロックスイッチの平面図である。
【図１０】図９に示す状態からプランジャがロックスイッチの背面側に動いた状態でのロックスイッチの平面図である。
【図１１】図１０に示す状態からプランジャがロックスイッチの正面側に動いた状態でのロックスイッチの平面図である。
【図１２】仮想例のロックスイッチの初期状態を示す模式図である。
【図１３】図１２に続いてアクチュエータが押し込まれた状態にある仮想例のロックスイッチの模式図である。
【図１４】図１３に続いてロックされた状態にある仮想例のロックスイッチの模式図である。
【図１５】図１４に続いてアクチュエータが押し込まれた状態にある仮想例のロックスイッチの模式図である。
【図１６】図１５に続いて初期状態に戻った仮想例のロックスイッチの模式図である。
【発明を実施するための形態】
【００１３】
実施の一形態を、図１ないし図１１に基づいて説明する。図１は、ロックスイッチ１０１の斜視図である。図２は、図１とは反対側から見たロックスイッチ１０１の斜視図である。ロックスイッチ１０１は、上面開口で平坦な箱状をなすハウジング１０２を有する。ハウジング１０２は、以降に説明する各部を収納し、蓋部（図示せず）で閉じられて構成される。ハウジング１０２内に収納される各部とは、アクチュエータ１１１、ロックピン１１２、プランジャ装置１１３、プッシャ１１４、スプリング１１４Ｂ、第１接点部１１５、第２接点部１１６等である。これらの構造及び作用の詳細については、図１、図６及び図７に基づいて後述する。
【００１４】
ハウジング１０２の正面側の端面の左側には、緊急用ノッチ１０３が配置される。緊急用ノッチ１０３は、ロックスイッチ１０１の正面側に引き出し自在となっている。また、ハウジング１０２の正面側の端面の略中央には、レセプタクル嵌合部１０４が配置される。レセプタクル嵌合部１０４は、正面側に開口する孔部１０５内に、正面側に突出して延びる三つのコンセント刃（図１において左から順に、第１コンセント刃１０５Ａ、第２コンセント刃１０５Ｂ、第３コンセント刃１０５Ｃ）を設けて構成される。
【００１５】
ハウジング１０２の底部１０２Ａは、蓋部（図示せず）と平行な板状をなす。底部１０２Ａにおけるプッシャ１１４の近傍には、孔部１０２Ｂが開口する。ここで、プッシャ１１４は、ハウジング１０２内で図１における右側の領域に収納される部材である。プッシャ１１４は、図１における左右方向にスライド自在になっている。プッシャ１１４において孔部１０２Ｂと対面する箇所には、係合孔部１１４Ａ（図３〜図５参照）が設けられる。プッシャ１１４は、ハウジング１０２内に配置されるスプリング１１４Ｂにより、図１における左側に押されている。
【００１６】
図３は、プッシャ１１４の係合孔部１１４Ａに係合突起５０１を挿入する前の状態を模式的に示す、図２のＰ矢視での断面図である。図４は、プッシャ１１４の係合孔部１１４Ａに係合突起５０１を挿入している途中の状態を模式的に示す、図２のＰ矢視での断面図である。図５は、プッシャ１１４の係合孔部１１４Ａに係合突起５０１を挿入した後の状態を模式的に示す、図２のＰ矢視での断面図である。なお、図３〜図５での下方は、図１における上方に対応する。底部１０２Ａに設けられた孔部１０２Ｂには、係合突起５０１が、ロックスイッチ１０１の底部側から導入される。係合突起５０１には、係合爪５０２が設けられている。係合爪５０２の先端は、スプリング１１４Ｂに向かう方向（図３〜図５における右方向）に向いている。係合突起５０１は、他の付勢部材（図示せず）によってスプリング１１４Ｂの付勢力に抗う方向（図３〜図５における右方向）に力が加えられて全体的にスプリング１１４Ｂに向かう方向（図３〜図５における右方向）に押されている。底部１０２Ａと係合爪５０２とが係合していない限りにおいて、使用者は、係合突起５０１を上下方向に動かし、係合突起５０１の全体を孔部１０２Ｂから離脱させたり、係合爪５０２を係合孔部１１４Ａ内に位置付けたりすることができる。
【００１７】
係合突起５０１が孔部１０２Ｂに挿入されると（図３）、係合爪５０２の先端が孔部１０２Ｂの内周面に接触して係合突起５０１が僅かに撓む。その後、係合突起５０１の係合爪５０２が係合孔部１１４Ａ内に収納されると（図４）、係合突起５０１自身の復帰力によって撓みが解除されるとともに付勢部材による付勢力によって、係合突起５０１がプッシャ１１４をスプリング１１４Ｂに向かう方向（図３〜図５における右方向）に押す。これにより、プッシャ１１４は、右側に動き（図５）、係合爪５０２がハウジング１０２に引っ掛かって孔部１０２Ｂから抜けなくなる。なお、係合突起５０１の下面はテーパ形状５０１Ａをなしていて、係合突起５０１が孔部１０２Ｂに導入されやすくなっている。
【００１８】
図６は、図３に示す状態に対応するロックスイッチ１０１の平面図である。図７は、アクチュエータ１１１の平面図である。図１、図６及び図７に基づいて、ロックスイッチ１０１の内部構造の詳細を説明する。
【００１９】
［アクチュエータ］  アクチュエータ１１１は、ハウジング１０２の底部１０２Ａに配置され、底部１０２Ａに対して直交し上下方向に延びている回動軸１２１の周回り方向に旋回自在となっている。アクチュエータ１１１は、プランジャ装置１１３内に配置される弾性体としてのプランジャスプリング１３３（後述）によって、回動軸１２１を中心とする図６での時計回り方向（第１旋回方向Ｒ１）に向かうよう付勢されている。
【００２０】
アクチュエータ１１１における第１旋回方向Ｒ１の先端側には、作用部１２２が設けられる。作用部１２２は、第１作用部１２２Ａと、第２作用部１２２Ｂと、第３作用部１２２Ｃとを含む。第１作用部１２２Ａは、第２作用部１２２Ｂや第３作用部１２２Ｃに対して第１旋回方向Ｒ１の先端側に位置し、第２作用部１２２Ｂや第３作用部１２２Ｃよりも底部１０２Ａから離れている。第１作用部１２２Ａは、第２接触片１３６（後述）を第１旋回方向Ｒ１に押す。また、第２作用部１２２Ｂは、第１作用部１２２Ａよりも回動軸１２１を中心とする図６での反時計回り方向（第２旋回方向Ｒ２）側に位置し、第１作用部１２２Ａより底部１０２Ａに近い。第２作用部１２２Ｂは、第１旋回方向Ｒ１に動いて阻止部１４４（後述）に接触する。また、第３作用部１２２Ｃは、第２作用部１２２Ｂよりも第２旋回方向Ｒ２側に位置する。第３作用部１２２Ｃは、第１旋回方向Ｒ１や第２旋回方向Ｒ２に動いて、可動接触片１４７（後述）を動かし、第２接点部１１６を開閉する。
【００２１】
アクチュエータ１１１における第２旋回方向Ｒ２の先端側には、ピン孔１１１Ａが設けられる。ピン孔１１１Ａには、プランジャ装置１１３に備わるプランジャ１３２のピン１３２Ａ（後述）が挿入される。
【００２２】
アクチュエータ１１１の上面には、ハートカム溝１２４が設けられる。ハートカム溝１２４は、アクチュエータ１１１の旋回面（図６における紙面と平行な面）に沿うハート形状をなす。ハートカム溝１２４の底部１２４Ｅは、ロックピン１１２の第２端部１１２Ｂ（後述）が図６における反時計回り方向（周回方向Ｒ３）にのみ摺接移動できるよう段状をなしている。
【００２３】
ハートカム溝１２４のハート形状の上下方向は、第１旋回方向Ｒ１に沿うように延びている。詳細に述べると、ハートカム溝１２４のハート形状の下方突部１２４Ａは、第２旋回方向Ｒ２の先端側に向けられる。そして、ハートカム溝１２４のハート形状の二つの上方突部は、第１旋回方向Ｒ１の先端側に向けられる。以下、説明のためにハートカム溝１２４のハート形状の二つの上方突部のうち、回動軸１２１に近い方を「第１上方突部１２４Ｂ」と呼び、回動軸１２１から遠い方を「第２上方突部１２４Ｃ」と呼ぶ。そして、ハートカム溝１２４に沿って第１上方突部１２４Ｂと第２上方突部１２４Ｃとの間に位置し第２旋回方向Ｒ２に凸となっている突部を「ロック用突部１２４Ｄ」と呼ぶ。
【００２４】
アクチュエータ１１１には、緊急用ノッチ１０３が引っ掛かる引掛部１２２Ｄが設けられる。緊急用ノッチ１０３は、正面−背面方向に延びる長尺の部材で、ハウジング１０２の内部で図６における左側の領域に配置され、ハウジング１０２から正面側に突出している。緊急用ノッチ１０３の背面側の端部には、引掛爪１０３Ａが設けられる。緊急用ノッチ１０３は、ハウジング１０２の正面側の内壁面１０２Ｃから延びるノッチ用スプリング１０３Ｂによって、ロックスイッチ１０１の背面側に押されている。緊急用ノッチ１０３がロックスイッチ１０１の正面側に引っ張られると、引掛爪１０３Ａがアクチュエータ１１１の引掛部１２２Ｄに引っかかり、アクチュエータ１１１を強制的に第２旋回方向Ｒ２に旋回させる。
【００２５】
［ロックピン］  ロックピン１１２は、ハウジング１０２に対するアクチュエータ１１１の動く領域を制限する。詳細には、ロックピン１１２の一方の端部（第１端部１１２Ａ）は、ハウジング１０２の背面側の内壁から正面側に突出する保持壁１０２Ｄに保持される。保持壁１０２Ｄは、ロックピン１１２の第１端部１１２Ａを位置固定し、且つ、回動自在とする。これにより、ロックピン１１２は、第１端部を中心に回動自在となる。
【００２６】
ロックピン１１２の他方の端部（第２端部１１２Ｂ）の端面は、ハートカム溝１２４の底部１２４Ｅに圧力を持って接している。ここで、ハートカム溝１２４の底部１２４Ｅから立ち上がりロックピン１１２の第２端部１１２Ｂの周回り部分が接する内側面の一部には、円弧状部１２４Ｆが形成されている。円弧状部１２４Ｆは、平面視において、回動軸１２１を中心とする円弧状をなし、ロックピン１１２の第２端部１１２Ｂの周回り部分が接し滑らかに摺動できる。
【００２７】
［プランジャ装置］  プランジャ装置１１３は、プランジャケース１３１と、プランジャ１３２と、プランジャスプリング１３３とを有する。プランジャケース１３１は、ハウジング１０２の正面側の内壁面１０２Ｃに取付けられる。プランジャ１３２は、プランジャケース１３１に保持され、ロックスイッチ１０１の正面−背面方向（図６にて矢印Ｒ４で示す方向）にスライド自在となっている。プランジャ１３２の先端側（ロックスイッチ１０１の背面側）の端部の外周面からは、ピン１３２Ａが上方に突出している。ピン１３２Ａは、ピン孔１１１Ａに入り込んでいる。プランジャ１３２がスライド移動すると、アクチュエータ１１１は第１旋回方向Ｒ１や第２旋回方向Ｒ２に旋回する。プランジャスプリング１３３は、プランジャ１３２をロックスイッチ１０１の背面方向に突出させる向きに押し出している。
【００２８】
プランジャ装置１１３からは、金属片１３４と第１接触片１３５とが延びている。金属片１３４は、第１コンセント刃１０５Ａに繋がっている。第１接触片１３５は、バネ性を有し、第２コンセント刃１０５Ｂから延びる第２接触片１３６に接触する向き（図６にて矢印Ｒ５で示す方向）に動こうとする。図１及び図６では、プッシャ１１４から延びる干渉部１４５（後述）が第１接触片１３５を図６における左方に押しており、第１接触片１３５が第２接触片１３６に接触していない。プッシャ１１４が図６における右方に動いて干渉部１４５が第１接触片１３５から退避すると、第１接触片１３５が第２接触片１３６に接触する。ここに、第１接触片１３５と第２接触片１３６と干渉部１４５とによって、第１接点部１１５が構成される。
【００２９】
第１コンセント刃１０５Ａ、金属片１３４、第１接触片１３５、第２接触片１３６及び第２コンセント刃１０５Ｂは、プランジャ装置１１３に駆動パルスを入力するための信号経路を形成する。プランジャ装置１１３に駆動パルスが入力されると、プランジャ装置１１３では、プランジャ１３２がロックスイッチ１０１の正面方向に動く。これにより、アクチュエータ１１１は第２旋回方向Ｒ２に動く。駆動パルスの入力によるプランジャ装置１１３でのプランジャ１３２の動きの後、プランジャスプリング１３３は、プランジャ１３２をロックスイッチ１０１の背面方向に突出させる。これにより、アクチュエータ１１１は第１旋回方向Ｒ１に動く。
【００３０】
［プッシャ］  プッシャ１１４は、基部１４２と操作部１４３とを有する。基部１４２は、略直方体形状をなしていて、係合孔部１１４Ａ（図３〜図５参照）が形成されている。基部１４２は、ハウジング１０２内に配置される阻止板１４１より図６における右方にある。この阻止板１４１は、第３コンセント刃１０５Ｃに接続されており、ロックスイッチ１０１の正面−背面方向に延びる金属板である。
【００３１】
基部１４２からは、スプリング受部１４２Ａが、ロックスイッチ１０１の背面側に突出している。スプリング受部１４２Ａは、スプリング１１４Ｂから、図６における左方に押される部分である。基部１４２は、スプリング受部１４２Ａをスプリング１１４Ｂに押されて図６における左方に動き、阻止板１４１に突き当たる。
【００３２】
操作部１４３は、基部１４２から図６における左方に突出し、阻止部１４４と干渉部１４５とを含み、阻止板１４１に設けられた孔部（図示せず）に挿通されて阻止板１４１よりも左方に位置する。阻止部１４４は、干渉部１４５よりも底部１０２Ａに近い箇所に位置する。阻止部１４４におけるロックスイッチ１０１の背面側の側面には、第１旋回方向Ｒ１に動こうとする第２作用部１２２Ｂが突き当たる。また、干渉部１４５は、阻止部１４４よりもロックスイッチ１０１の正面側に位置して図６における左方に突出している。干渉部１４５は、第１接触片１３５を図６における左方に動かす。なお、干渉部１４５は、第２接触片１３６に設けられた孔部に挿通されていて第２接触片１３６と接触しておらず、このために第２接触片１３６を動かさない。
【００３３】
阻止板１４１におけるロックスイッチ１０１の背面側の端部からは、固定接触片１４６が、図６における左方に突出する。また、ハウジング１０２内には、可動接触片１４７が、固定接触片１４６よりも図６における左方且つロックスイッチ１０１の正面側に配置される。可動接触片１４７は、第２コンセント刃１０５Ｂに接続されている金属片１４８に揺動自在に保持される。可動接触片１４７と金属片１４８との間には、接点スプリング１４９が配置される。接点スプリング１４９は、可動接触片１４７を固定接触片１４６に接しさせるよう、可動接触片１４７を押している。図１及び図６では、可動接触片１４７が、アクチュエータ１１１の第３作用部１２２Ｃによって接点スプリング１４９の付勢力に抗うよう動かされて、固定接触片１４６から離反している。アクチュエータ１１１が第１旋回方向Ｒ１に動いて第３作用部１２２Ｃが可動接触片１４７から退避すると、可動接触片１４７は接点スプリング１４９に押されて固定接触片１４６に接触する。ここに、固定接触片１４６と可動接触片１４７と金属片１４８と接点スプリング１４９と第３作用部１２２Ｃとによって、第２接点部１１６が構成される。
【００３４】
上記のように構成されるロックスイッチ１０１での動きを、図６、図８〜図１１に基づいて説明する。まず、図６を参照する。ロックスイッチ１０１は、第１コンセント刃１０５Ａ、第２コンセント刃１０５Ｂ及び第３コンセント刃１０５Ｃを受け入れるレセプタクル５０３をレセプタクル嵌合部１０４に嵌合させて用いられる。レセプタクル５０３は、外部回路（図示せず）と繋がっていて、外部回路の駆動によって第１コンセント刃１０５Ａや第２コンセント刃１０５Ｂを伝わってプランジャ装置１１３に入力されるプランジャ装置１１３を駆動制御するための駆動パルスや、第２コンセント刃１０５Ｂと第３コンセント刃１０５Ｃとを伝って流れる電流を伝達する。
【００３５】
図６では、ハウジング１０２の孔部１０２Ｂ及びプッシャ１１４の係合孔部１１４Ａ（図３〜図５参照）に係合突起５０１（図３〜図５参照）が挿入されておらず、プッシャ１１４がスプリング１１４Ｂによって図６における左方に押されている。このとき、プッシャ１１４とスプリング１１４Ｂと係合突起５０１とは、図３に示す関係性にある。プッシャ１１４に設けられる干渉部１４５は、第１接触片１３５を図６における左方に押し、第１接触片１３５と第２接触片１３６とを離反させて、第１接点部１１５が開かれた状態にある。この状態では、外部回路（図示せず）が駆動してもプランジャ装置１１３に駆動パルスが入力されることはない。
【００３６】
図６では、プランジャ１３２がプランジャスプリング１３３によってロックスイッチ１０１の背面側に押され、プランジャ１３２のピン１３２Ａがアクチュエータ１１１を第１旋回方向Ｒ１に動かそうとしている。しかしながら、ロックピン１１２の第２端部１１２Ｂが、ハートカム溝１２４のロック用突部１２４Ｄ内に位置付けられており、アクチュエータ１１１が第１旋回方向Ｒ１に旋回できない。結果として、アクチュエータ１１１は、第１旋回方向Ｒ１にも第２旋回方向Ｒ２にも旋回せず停止する（第１のロック状態）。このとき、作用部１２２の第３作用部１２２Ｃは、接点スプリング１４９による付勢力に抗うようにして可動接触片１４７を保持し、可動接触片１４７を固定接触片１４６から離反させている。このときの作用部１２２の位置は、特許請求の範囲で言うところの「初期位置」に対応する。
【００３７】
図８は、図６に示す状態からプッシャ１１４が右方に動いた状態でのロックスイッチ１０１の平面図である。図８では、緊急用ノッチ１０３及びノッチ用スプリング１０３Ｂは省略されている。ハウジング１０２の孔部１０２Ｂ及びプッシャ１１４の係合孔部１１４Ａ（図３〜図５参照）に係合突起５０１（図３〜図５参照）が挿入されると、プッシャ１１４は係合突起５０１の係合爪５０２に押されて図６における右方に動く。このときのプッシャ１１４とスプリング１１４Ｂと係合突起５０１とは、図４に示す状態を経て図５に示す位置関係に至り、係合突起５０１が孔部１０２Ｂ（図２〜図５参照）から抜けなくなる。これにより、干渉部１４５が第１接触片１３５から離反し、第１接触片１３５がそれ自身のバネ性によって矢印Ｒ５の向きに動いて第２接触片１３６に接触し、第１接点部１１５が閉じられ、第１コンセント刃１０５Ａからプランジャ装置１１３を経由して第２コンセント刃１０５Ｂまで繋がる駆動パルスの経路が形成される。
【００３８】
図９は、図８に示す状態からプランジャ１３２がロックスイッチ１０１の正面側に動いた状態でのロックスイッチ１０１の平面図である。図９では、緊急用ノッチ１０３及びノッチ用スプリング１０３Ｂは省略されている。図８に示す状態で、外部回路（図示せず）の駆動によってプランジャ装置１１３に駆動パルスが入力されると、プランジャ装置１１３は、プランジャ１３２を、プランジャスプリング１３３（図６参照）による付勢力に抗ってロックスイッチ１０１の正面側に動かす。このとき、プランジャ１３２のピン１３２Ａは、アクチュエータ１１１を第２旋回方向Ｒ２に旋回させる。また、ロックピン１１２の第２端部１１２Ｂは、ロック用突部１２４Ｄから第２上方突部１２４Ｃまで周回方向Ｒ３に、ハートカム溝１２４の底部１２４Ｅを摺動する。
【００３９】
図１０は、図９に示す状態からプランジャ１３２がロックスイッチ１０１の背面側に動いた状態でのロックスイッチ１０１の平面図である。図１０では、緊急用ノッチ１０３及びノッチ用スプリング１０３Ｂは省略されている。駆動パルスの入力によってプランジャ１３２がロックスイッチ１０１の正面側に動いた後、プランジャスプリング１３３（図６参照）は、プランジャ１３２をロックスイッチ１０１の背面側に押す。このとき、プランジャ１３２のピン１３２Ａは、アクチュエータ１１１を、保持壁１０２Ｄに突き当たるまで第１旋回方向Ｒ１に旋回させる。また、ロックピン１１２の第２端部１１２Ｂは、第２上方突部１２４Ｃから下方突部１２４Ａまで周回方向Ｒ３に、ハートカム溝１２４の底部１２４Ｅを摺動する。
【００４０】
ここで、保持壁１０２Ｄは、図１０に示す位置からさらに第１旋回方向Ｒ１に動こうとするアクチュエータ１１１を阻止し、ストッパとしての役割を果たす。保持壁１０２Ｄは、プランジャ装置１１３の誤作動等によってプランジャ１３２がロックスイッチ１０１の背面側に動きすぎて第２作用部１２２Ｂが第２接触片１３６を押しすぎて第２接触片１３６を乗り越えてしまう等の事態を防ぐ。
【００４１】
また、ロックピン１１２の第２端部１１２Ｂの周回り部分がハートカム溝１２４内を移動する際にハートカム溝１２４の底部１２４Ｅから立ち上がる内側面に接することがあるが、ハートカム溝１２４には円弧状部１２４Ｆが形成されているので、ロックピン１１２の第２端部１１２Ｂが内側面に引っ掛からない。
【００４２】
図１０では、プランジャ１３２がプランジャスプリング１３３によってロックスイッチ１０１の背面側に押され、プランジャ１３２のピン１３２Ａがアクチュエータ１１１を第１旋回方向Ｒ１に動かそうとしている。しかしながら、ロックピン１１２の第２端部１１２Ｂが、ハートカム溝１２４の下方突部１２４Ａ内に位置付けられており、アクチュエータ１１１が第１旋回方向Ｒ１に旋回できない。結果として、アクチュエータ１１１は、第１旋回方向Ｒ１にも第２旋回方向Ｒ２にも旋回せず停止する（第２のロック状態）。このとき、作用部１２２の第１作用部１２２Ａは、第１旋回方向Ｒ１に動いて、矢印Ｒ５の方向に動こうとする第１接触片１３５に第２接触片１３６を押しつけ、第１接点部１１５を閉じたままで安定させる。また、このとき、作用部１２２の第３作用部１２２Ｃは、第１旋回方向Ｒ１に動いて可動接触片１４７から離反し、可動接触片１４７が接点スプリング１４９に押されて固定接触片１４６に接触する。即ち、第２接点部１１６が閉じられる。可動接触片１４７が接点スプリング１４９に接触することで、第２コンセント刃１０５Ｂから金属片１４８、可動接触片１４７、接点スプリング１４９及び阻止板１４１を経由して第３コンセント刃１０５Ｃまで繋がる電流の経路が形成される。このときの作用部１２２の位置は、特許請求の範囲で言うところの「作用位置」に対応する。
【００４３】
なお、図１０に示すように、作用部１２２の第２作用部１２２Ｂが第１旋回方向Ｒ１に旋回できるのは、プッシャ１１４が図１０における右方に動いて、第２作用部１２２Ｂが阻止部１４４に阻止されないためである。他方、図６に示すように、プッシャ１１４が図１０における左方に押されている状態では、プランジャ装置１１３の誤動作等によりアクチュエータ１１１が第１旋回方向Ｒ１に旋回しようとしても、阻止部１４４が第２作用部１２２Ｂの旋回を阻止する。
【００４４】
図１１は、図１０に示す状態からプランジャ１３２がロックスイッチ１０１の正面側に動いた状態でのロックスイッチ１０１の平面図である。図１１では、緊急用ノッチ１０３及びノッチ用スプリング１０３Ｂは省略されている。図１０に示す状態で、外部回路（図示せず）の駆動によって第１コンセント刃１０５Ａや第２コンセント刃１０５Ｂからプランジャ装置１１３に駆動パルスが入力されると、プランジャ装置１１３は、プランジャ１３２を、プランジャスプリング１３３（図６参照）による付勢力に抗ってロックスイッチ１０１の正面側に動かす。このとき、プランジャ１３２のピン１３２Ａは、アクチュエータ１１１を第２旋回方向Ｒ２に旋回させる。そして、ロックピン１１２の第２端部１１２Ｂは、下方突部１２４Ａから第１上方突部１２４Ｂまで周回方向Ｒ３に、ハートカム溝１２４の底部１２４Ｅを摺動する。また、アクチュエータ１１１が第２旋回方向Ｒ２に旋回すると、作用部１２２の第１作用部１２２Ａは第２接触片１３６から離反し、第１接触片１３５と第２接触片１３６とは離反しないものの、互いを押し付け合う力が弱まる。また、アクチュエータ１１１が第２旋回方向Ｒ２に旋回することで、作用部１２２の第３作用部１２２Ｃは、可動接触片１４７を動かして可動接触片１４７を固定接触片１４６から離反させ、第２接点部１１６を開く。
【００４５】
図８に戻る。駆動パルスの入力によってプランジャ１３２がロックスイッチ１０１の正面側に動いた後、プランジャスプリング１３３（図６参照）は、プランジャ１３２をロックスイッチ１０１の背面側に押す。このとき、プランジャ１３２のピン１３２Ａは、アクチュエータ１１１を第１旋回方向Ｒ１に旋回させる。また、ロックピン１１２の第２端部１１２Ｂは、第１上方突部１２４Ｂからロック用突部１２４Ｄまで周回方向Ｒ３に、ハートカム溝１２４の底部１２４Ｅを摺動したり、この底部１２４Ｅに設けられた段を下降したりする。その結果、アクチュエータ１１１は、第１旋回方向Ｒ１にも第２旋回方向Ｒ２にも旋回せず停止する（第１のロック状態）。
【００４６】
ここで、ロックスイッチ１０１が図８に示す状態（第１のロック状態、初期位置）、図９に示す状態、図１０に示す状態（第２のロック状態、作用位置）、図１１に示す状態を経て図８に示す状態に戻るまでの間、係合突起５０１が係合孔部１１４Ａ（図２〜図５参照）から抜けることがないために第１接触片１３５と第２接触片１３６とは接触しつづけており、第１接点部１１５は閉じられたままである。このため、外部回路（図示せず）の駆動により駆動パルスがプランジャ装置１１３に入力されるたびに、ロックスイッチ１０１では、図８に示す状態（第１のロック状態、初期位置）から図９に示す状態を経て図１０に示す状態（第２のロック状態、作用位置）まで至る状態切替と、図１０に示す状態（第２のロック状態、作用位置）から図１１に示す状態を経て図８に示す状態（第１のロック状態、初期位置）まで至る状態切替とが交互に繰り返される。
【００４７】
係合突起５０１を孔部１０２Ｂから抜くときは、外力や別の制御手段（図示せず）によって、プッシャ１１４を、付勢部材（図示せず）による右方向への付勢に抗って図８における左方に動かし、係合爪５０２とハウジング１０２との係合を外して、係合突起５０１を上方に引き上げる。なお、プッシャ１１４を左方に動かすためには、付勢部材（図示せず）のプッシャ１１４の右方向への付勢力を弱めれば十分である。係合突起５０１が係合孔部１１４Ａ（図３〜図５参照）から外れると、プッシャ１１４がスプリング１１４Ｂによって図６における左方に押されて、ロックスイッチ１０１は図６に示した状態となる。干渉部１４５は、第１接触片１３５を左方に押して第１接触片１３５と第２接触片１３６とを離反させ第１接点部１１５を開かせるので、外部回路（図示せず）が駆動してもプランジャ装置１１３に駆動パルスが入力されることはない。
【００４８】
このように、本実施の形態のロックスイッチ１０１では、プランジャ１３２が、プランジャスプリング１３３による引っ張りに抗うようにアクチュエータ１１１に対して力を加えると、アクチュエータ１１１に設けられる作用部１２２が、ハートカム溝１２４による第１のロック状態に対応する初期位置と、ハートカム溝１２４による第２のロック状態に対応する作用位置との間で変位する。このとき、アクチュエータ１１１は、回動軸１２１を中心に旋回する。このため、作用部１２２を、プランジャ１３２の動く方向（ハートカム機構を作用させるための外力の入力方向）と異なる方向に動かすことができる。
【００４９】
また、本実施の形態のロックスイッチ１０１では、ロックスイッチ１０１が、図８に示す状態（第１のロック状態、初期位置）及び図１０に示す状態（第２のロック状態、作用位置）のいずれにあっても、緊急用ノッチ１０３をロックスイッチ１０１の正面側に引っ張ることで、引掛爪１０３Ａを引掛部１２２Ｄに引っ掛けてアクチュエータ１１１を強制的に第２旋回方向Ｒ２に旋回し、作用部１２２の第３作用部１２２Ｃによって可動接触片１４７を固定接触片１４６から離反させて第２接点部１１６を開くことができる。これにより、プランジャ装置１１３に誤動作等が生じてプランジャ１３２が動かなくなっても、第２接点部１１６を強制的に開いて第２コンセント刃１０５Ｂと第３コンセント刃１０５Ｃとの間に流れる電流を止めることができる。
【符号の説明】
【００５０】
１０１    ロックスイッチ
１０２Ｄ  保持壁（ストッパ）
１１１    アクチュエータ
１１２    ロックピン
１１２Ａ  第１端部
１１２Ｂ  第２端部
１２１    回動軸
１２２    作用部
１２４    ハートカム溝
１２４Ｅ  ハートカム溝の底部
１２４Ｆ  円弧状部
１３３    プランジャスプリング（弾性体）
Ｒ１      第１旋回方向
Ｒ２      第２旋回方向
【図１】
2012243530.tif 000003
【図２】
2012243530.tif 000004
【図３】
2012243530.tif 000005
【図４】
2012243530.tif 000006
【図５】
2012243530.tif 000007
【図６】
2012243530.tif 000008
【図７】
2012243530.tif 000009
【図８】
2012243530.tif 000010
【図９】
2012243530.tif 000011
【図１０】
2012243530.tif 000012
【図１１】
2012243530.tif 000013
【図１２】
2012243530.tif 000014
【図１３】
2012243530.tif 000015
【図１４】
2012243530.tif 000016
【図１５】
2012243530.tif 000017
【図１６】
2012243530.tif 000018